(57)【要約】【課題】配線の寄生容量に伴う消費電力の増大を抑制することができる表示装置を提供すること。【解決手段】行方向に延在された走査線Ｇ（ｉ）と、列方向に延在された信号線Ｓ（ｊ）との交点に対応した位置に表示画素Ｐｉｘが配置されてなるアクティブマトリクス方式の表示装置において、信号線Ｓ（ｊ）に、表示画素Ｐｉｘと信号ドライバ３００との間を導通状態又は非導通状態とするためのＴＦＴ２を設ける。このＴＦＴ２は、走査線Ｇ（ｉ）と独立して設けられたスイッチ制御線Ｇｓに接続され、スイッチ制御回路２００ａによって制御される。【選択図】図２
2011203687.tif 000002
【特許請求の範囲】
【請求項１】
走査線と、
前記走査線と交差するように配設された信号線と、
前記走査線と前記信号線との交点に対応した位置に配置されて前記走査線と前記信号線とに接続された表示画素と、
前記表示画素における画像表示のための表示信号を、前記信号線を介して前記表示画素に印加する信号線駆動部と、
前記信号線に直列に挿入され、前記表示画素と前記信号線駆動部との間を導通状態又は非導通状態とするスイッチング素子と、
前記走査線に対して独立して配設され、前記スイッチング素子に接続されたスイッチ制御線と、
前記スイッチング素子を制御するための制御信号を、前記スイッチ制御線を介して前記スイッチング素子に入力するスイッチ制御部と、
を具備することを特徴とする表示装置。
【請求項２】
前記スイッチ制御部は、
前記信号線駆動部が遠い行の表示画素から前記表示信号を印加する場合には、前記スイッチング素子よりも遠い行に存在する全ての前記表示画素への前記表示信号の印加が終了した時点で前記スイッチング素子を前記導通状態から前記非導通状態に切り替えるように制御し、
前記信号線駆動部が近い行の表示画素から前記表示信号を印加する場合には、前記スイッチング素子よりも近い行に存在する全ての前記表示画素への前記表示信号の印加が終了した時点で前記スイッチング素子を前記非導通状態から前記導通状態に切り替えるように制御する、
ことを特徴とする請求項１に記載の表示装置。
【請求項３】
前記スイッチング素子は、前記信号線における、前記表示画素との接点間に挿入されていることを特徴とする請求項１又は２に記載の表示装置。
【請求項４】
前記スイッチング素子は、前記信号線を２等分する前記接点間に挿入されていることを特徴とする請求項３に記載の表示装置。
【請求項５】
前記スイッチング素子は、複数本の前記信号線に挿入されていることを特徴とする請求項１乃至４の何れかに記載の表示装置。
【請求項６】
前記スイッチング素子は、前記走査線の延在方向に沿うように前記複数本の信号線に挿入されていることを特徴とする請求項５に記載の表示装置。
【請求項７】
前記スイッチング素子は、１本の前記信号線に複数挿入されていることを特徴とする請求項１乃至６の何れかに記載の表示装置。
【請求項８】
前記表示画素は液晶表示素子を有することを特徴とする請求項１乃至７の何れかに記載の表示装置。
【請求項９】
前記表示画素は電気泳動表示素子を有することを特徴とする請求項１乃至７の何れかに記載の表示装置。
【請求項１０】
前記表示画素は有機ＥＬ表示素子を有することを特徴とする請求項１乃至７の何れかに記載の表示装置。
【発明の詳細な説明】
【技術分野】
【０００１】
本発明は、アクティブマトリクス方式の表示装置に関する。
【背景技術】
【０００２】
近年、液晶表示装置等の表示装置の表示パネルとして、アクティブマトリクス方式の表示パネルが多く用いられている。例えば、アクティブマトリクス方式の液晶表示パネルでは、表示パネルの一方の基板上に複数の走査線が配置されるとともに、各走査線に直交するように信号線が配置されている。また、走査線と信号線との交点に対応した位置には、液晶表示素子を構成するための画素電極が配置されている。そして、各画素電極は薄膜トランジスタ（Thin Film Transistor：以下、ＴＦＴと記す）を介して走査線及び信号線に接続されている。さらに、画素電極と対向するようにして対向電極が形成されており、画素電極と対向電極との間には液晶が封入されている。
【０００３】
このような構成の液晶表示パネルでは、走査線の電位がＴＦＴのオンレベルとなると、ＴＦＴが選択状態となり、信号線に供給された表示信号がＴＦＴを介して画素電極に書き込まれる。画素電極に表示信号が印加されると、表示信号に基づいて画素電極に発生する画素電極電圧と対向電極に予め印加されているコモン電圧との差に相当する電圧が液晶に印加される。この液晶への電圧印加に伴う液晶の光透過特性の変化を利用して画像の表示を行うことが可能である。
【先行技術文献】
【特許文献】
【０００４】
【特許文献１】特開２００９−８６２６２号公報
【発明の概要】
【発明が解決しようとする課題】
【０００５】
ここで、アクティブマトリクス方式の表示装置においては、配線（特に信号線）の寄生容量があるために、配線を介して印加される信号のレベル変動に伴って配線において充放電が発生する。この充放電により消費電力の増大が引き起こされる。
【０００６】
本発明は、上記の事情に鑑みてなされたもので、配線の寄生容量に伴う消費電力の増大を抑制することができる表示装置を提供することを目的とする。
【課題を解決するための手段】
【０００７】
上記の目的を達成するために、本発明の一態様の表示装置は、走査線と、前記走査線と交差するように配設された信号線と、前記走査線と前記信号線との交点に対応した位置に配置されて前記走査線と前記信号線とに接続された表示画素と、前記表示画素における画像表示のための表示信号を、前記信号線を介して前記表示画素に印加する信号線駆動部と、前記信号線に直列に挿入され、前記表示画素と前記信号線駆動部との間を導通状態又は非導通状態とするスイッチング素子と、前記走査線に対して独立して配設され、前記スイッチング素子に接続されたスイッチ制御線と、前記スイッチング素子を制御するための制御信号を、前記スイッチ制御線を介して前記スイッチング素子に入力するスイッチ制御部と、を具備することを特徴とする。
【発明の効果】
【０００８】
本発明によれば、配線の寄生容量に伴う消費電力の増大を抑制することができる。
【図面の簡単な説明】
【０００９】
【図１】本発明の一実施形態に係る液晶表示装置を備えた電子機器の一例としての携帯電話機の外観を示す図である。
【図２】本発明の一実施形態に係る液晶表示装置の構成を示す図である。
【図３】本発明の一実施形態に係る液晶表示装置の動作を示すタイミングチャートである。
【図４】本発明の一実施形態における１本の信号線Ｓ（ｊ）の等価回路を示す図である。
【図５】本発明の一実施形態の変形例に係る液晶表示装置の構成を示す図である。
【図６】本発明の一実施形態の変形例に係る液晶表示装置の動作を示すタイミングチャートである。
【図７】本発明の一実施形態の有機ＥＬ表示装置への適用例を示す図である。
【発明を実施するための形態】
【００１０】
以下、図面を参照して本発明の実施形態を説明する。  
図１は、本発明の一実施形態に係る液晶表示装置を備えた電子機器の一例としての携帯電話機の外観を示す図である。図１に示す携帯電話機１０は、マイクロフォン１１と、アンテナ１２と、スピーカ１３と、液晶表示装置１４と、操作部１５とを有している。
【００１１】
マイクロフォン１１は、携帯電話機１０の使用者によって入力される音声を電気信号に変換するものである。アンテナ１２は、携帯電話機１０が図示しない基地局と通信するためのアンテナである。スピーカ１３は、別の携帯電話機等から基地局を経由してアンテナ１２で受信された音声信号を音声に変換して出力するものである。液晶表示装置１４は、各種の画像を表示するものである。操作部１５は、携帯電話機１０の使用者が携帯電話機１０の操作を行うための操作部である。
【００１２】
図２は、本発明の一実施形態に係る液晶表示装置１４の構成を示す図である。図２に示すように、液晶表示装置１４は、表示パネル１００と、走査ドライバ２００と、信号ドライバ３００と、ＶＣＯＭ供給回路４００とを有している。
【００１３】
表示パネル１００は、液晶表示装置１４の外部から供給される画像データＤに基づく画像を表示する表示部である。この表示パネル１００は、表示画素側基板１００ａと対向側基板１００ｂとの間に液晶が介在されて構成されている。
【００１４】
表示パネル１００の表示画素側基板１００ａには、複数の走査線Ｇ（ｉ）（ｉ＝１、２、…、ｎ）と複数の信号線Ｓ（ｊ）（ｊ＝１、２、…、ｍ）とが交差するように延伸配設されている。そして、走査線Ｇ（ｉ）と信号線Ｓ（ｊ）との各交点に対応した位置には液晶表示素子を構成するための画素電極が配置されている。なお、図２は、走査線が６本（ｎ＝６）の例を示している。
【００１５】
画素電極は、対向側基板１００ｂのコモン電極とともに液晶表示素子を構成する。そして、この画素電極は、例えばＩＴＯ（インジウム錫酸化物）等の透明導電膜で構成されており、薄膜トランジスタ（ＴＦＴ）１を介して走査線Ｇ（ｉ）と信号線Ｓ（ｊ）とに接続されている。画素電極の総数及びＴＦＴ１の総数は（ｎ×ｍ）個である。また、表示画素側基板１００ａには、各画素電極に対向するように補助容量電極が形成されている。この補助容量電極には、後述のコモン電極ＣＯＭと同一の電圧が与えられている。
【００１６】
また、表示パネル１００の対向側基板１００ｂは、表示画素側基板１００ａと対向するように配置されている。この対向側基板１００ｂにはコモン電極ＣＯＭが形成されている。
【００１７】
表示画素側基板１００ａと対向側基板１００ｂとは図示しないシール材によって接着され、またこのシール材によって表示画素側基板１００ａと対向側基板１００ｂとの間から液晶が漏れ出さないように封止されている。
【００１８】
このような構成において、表示画素側基板１００ａに形成された画素電極と、表示画素側基板１００ａと対向側基板１００ｂとの間に狭持された液晶と、対向側基板１００ｂに形成されたコモン電極ＣＯＭとによって１つの液晶表示素子が構成されている。また、液晶表示素子とＴＦＴ１とによって１つの表示画素Ｐｉｘが構成されている。このような表示画素Ｐｉｘは、図２に示すようにして２次元状に配列されている。なお、図２においては、液晶表示素子を等価回路として示している。即ち、図２においては、液晶表示素子を、画素電極と液晶とコモン電極とによって形成される液晶容量Ｃｌｃから構成されるものとして示している。また、図２においては、補助容量電極と画素電極とによって各表示画素に対応するように形成される容量を補助容量Ｃｓとして示している。
【００１９】
ここで、本実施形態においては、信号線Ｓ（ｊ）中に、スイッチング素子としてのＴＦＴ２が挿入されている。図２に示すように、信号線Ｓ（ｊ）にはｎ（図２ではｎ＝６）本の走査線に対応したｎ個の表示画素Ｐｉｘが接続されており、信号線Ｓ（ｊ）は、このｎ個の表示画素Ｐｉｘによってｎ個の領域に区画されている。そして、ＴＦＴ２は、例えば信号線Ｓ（ｊ）を２等分する領域（即ち表示パネル１０の表示エリアを列方向に２等分する領域）に挿入されている。例えば、図２では、各信号線Ｓ（ｊ）に６個の表示画素Ｐｉｘが接続されている。この場合、信号線Ｓ（ｊ）は、表示画素Ｐｉｘとの６個の接点を有し、この６個の接点によって６個の領域に区画されている。ＴＦＴ２は、信号線Ｓ（ｊ）を２等分する位置、即ち３行目の表示画素との接点と４行目の表示画素との接点と、の間に挿入されている。
【００２０】
また、各ＴＦＴ２のゲートは、走査線Ｇ（ｉ）とは独立して行方向に延在されたスイッチ制御線Ｇｓに共通に接続されており、このスイッチ制御線Ｇｓは走査ドライバ２００内のスイッチ制御回路２００ａに接続されている。このようなＴＦＴ２は、スイッチ制御回路２００ａからの制御信号を受けてオン・オフの状態が切り替わる。ＴＦＴ２は、例えば、オン状態のときにＴＦＴ２に対して１つ前の行（図２の例では３行目）の表示画素Ｐｉｘと信号ドライバ３００との間を導通状態とし、オフ状態のときに１つ前の行の表示画素Ｐｉｘと信号ドライバ３００とを非導通状態とする。なお、本実施形態では、例として制御信号ＧｓがハイレベルのときにＴＦＴ２がオン状態となり、ローレベルのときにＴＦＴ２がオフ状態となるものとする。
【００２１】
走査ドライバ２００は、シフトレジスタ等を備えて構成され、表示パネル１００の走査線Ｇ（ｉ）に走査信号を順次印加する。この走査ドライバ２００は、図示しない制御部から垂直同期信号Ｖｓが入力される毎に、ｎ本の走査線への走査信号の印加を開始する。この際、走査ドライバ２００は、図示しない制御部から水平制御信号Ｈｓを受ける毎に、１行分のＴＦＴ１をオンするための走査信号をゲートオフレベルからゲートオンレベルに切り替える。これにより、この１行分のＴＦＴ１に接続された表示画素Ｐｉｘが選択状態となる。ここで、垂直制御信号Ｖｓは、表示パネル１００の１画面分の表示を行うための期間である１垂直期間毎に印加されるものである。また、水平制御信号Ｈｓは、表示パネル１００の１行分（１本の走査線分）の表示信号（階調信号）を書き込むための期間である１水平期間毎に印加されるものである。
【００２２】
ここで、本実施形態における走査ドライバ２００は、スイッチ制御回路２００ａを有している。このスイッチ制御回路２００ａは、水平制御信号Ｈｓの入力数をカウントし、このカウント結果に従ってスイッチ制御線Ｇｓに印加する制御信号のレベル切り替えを行う。
【００２３】
信号線駆動部としての信号ドライバ３００は、表示パネル１００の信号線Ｓ（ｊ）に表示信号を印加する。この信号ドライバ３００は、図示しない制御部からの水平同期信号Ｈｓを受けて、１行（１水平期間）分に相当するｍ個の表示画素Ｐｉｘに対応した画像データＤを取り込み、この取り込んだ画像データＤをデコードする。そして、信号ドライバ３００は、デコードした結果として示される階調レベル情報に対応した表示信号を選択して、対応する信号線Ｓ（ｊ）に出力する。
【００２４】
ここで、液晶は、直流電圧を長時間印加すると特性が劣化する性質を有している。したがって、液晶の長寿命化等のためには、液晶に印加される電圧の極性（画素電極電圧とコモン電圧との大小関係）を交流的に変化させる必要がある。本実施形態では任意の駆動方式を用いて交流駆動を行うことができる。以下の例では、液晶に印加される電圧の極性を１表示画素単位で変化させるドット反転駆動を用いた場合について説明する。
【００２５】
ＶＣＯＭ供給回路４００は、所定の電源からコモン電圧を生成し、この生成したコモン電圧を対向側基板１００ｂに形成されたコモン電極と表示画素側基板１００ａに形成された補助容量電極とに印加する。
【００２６】
以下、本実施形態に係る液晶表示装置の動作について説明する。図３は、本実施形態に係る液晶表示装置の動作を示すタイミングチャートである。
【００２７】
走査ドライバ２００は、図示しない制御回路から垂直制御信号Ｖｓが入力されることにより、表示パネル１００の１画面分の表示の開始である１垂直期間の開始を認識する。その後、走査ドライバ２００は、図示しない制御回路から水平制御信号Ｈｓが入力される毎に各水平期間の開始を認識する。そして、走査ドライバ２００は、走査線Ｇ（１）から、順次、走査信号の電位レベルをゲートオフレベルからゲートオンレベルに切り替える。走査信号の電位レベルがゲートオンレベルになると、対応する走査線Ｇ（ｊ）に接続された１行分のＴＦＴ１が全て選択状態となる。
【００２８】
また、信号ドライバ３００は、図示しない制御回路から垂直制御信号Ｖｓが入力されることにより、表示パネル１００の１画面分の表示の開始である１垂直期間の開始を認識する。その後、信号ドライバ３００は、図示しない制御回路から水平制御信号Ｈｓが入力される毎に各水平期間の開始を認識する。そして、信号ドライバ３００は、１行分の表示画素に対応した画像データＤを取り込み、取り込んだ画像データＤをデコードする。そして、画像データＤによって示される、１行分の表示画素の各々に表示させるべき画像の階調レベルに対応した表示信号を信号線Ｓ（１）からＳ（ｍ）に印加する。ここで、上述したように、本実施形態においては液晶の交流駆動にドット反転駆動を用いる。各信号線に印加される表示信号の極性は１個の水平制御信号Ｈｓが入力される１水平期間毎（列方向１画素毎）に反転させる。図３は、信号線Ｓ（１）における極性反転を例示している。なお、ドット反転駆動の場合、行方向に隣接する表示画素間でも極性が反転している必要がある。したがって、図３には示していないが、信号線Ｓ（１）に隣接する信号線Ｓ（２）に印加する表示信号の極性は、信号線Ｓ（１）に印加する表示信号の極性と反対の極性とする。即ち、ドット反転駆動においては、奇数列の信号線と偶数列の信号線とで表示信号の極性を反対の極性とする。
【００２９】
このような信号ドライバ３００の動作と同期するように、走査ドライバ２００によって１行分のＴＦＴ１が選択状態とされている。したがって、信号ドライバ３００によって印加された表示信号が、選択状態となった１行分のＴＦＴ１を介して表示画素Ｐｉｘの液晶表示素子を構成する画素電極に印加される。ここで、画素電極と対向するように対向側基板１００ｂに形成されたコモン電極にはＶＣＯＭ供給回路４００によって一定の電位レベルを有するコモン電圧が印加されている。このため、画素電極とコモン電極とによって狭持された液晶には表示信号に基づく画素電極電圧とコモン電圧との差に対応した電圧が印加される。液晶は、印加電圧の大きさによって光の透過特性が変化するため、例えば表示パネル１００の裏面に設けられた図示しないバックライトからの光を表示パネル１００の各表示画素に照射しつつ、液晶の透過を制御することで、表示画素において所望の階調レベル（輝度）の表示を行うことが可能である。なお、表示信号は、補助容量Ｃｓにも印加されるようになっている。このような構成により、補助容量Ｃｓには液晶に印加されている電圧と同じ大きさの電圧が保持される。この補助容量Ｃｓにより、走査信号がオフレベルとなって表示画素への表示信号の印加が終了した後、次に走査信号がオンレベルとなるまで、液晶の印加電圧が変化しないように保持される。
【００３０】
図４は、本実施形態における１本の信号線Ｓ（ｊ）の等価回路を示す図である。図４に示すように、信号線Ｓ（ｊ）は、等価的には、所定の配線抵抗値Ｒを有する配線に容量Ｃの負荷が並列に接続されていると見ることができる。この負荷容量Ｃには、上述した液晶容量Ｃｌｃや補助容量Ｃｓに加えて配線自体の寄生容量も含まれている。そして、配線の寄生容量は、ＣｌｃやＣｓに比べて大きな値を有している。
【００３１】
ここで、信号線Ｓ（ｊ）に印加される表示信号は電圧レベルの変動が大きくなり易い。特に、ドット反転駆動の場合には、１水平期間毎に表示信号の極性を反転させる必要があるため、電圧の変動幅はカラム反転駆動等に比べて大きくなる。このような表示信号の電圧レベルの変動があると、配線の寄生容量による充放電が発生して消費電力の増大に繋がる。
【００３２】
本実施形態では、信号線Ｓ（ｊ）中にＴＦＴ２を挿入することで、一部の表示画素Ｐｉｘと信号ドライバ３００との間を導通状態又は非導通状態とするように制御する。ＴＦＴ２がオフ状態となると、ＴＦＴ２から前の行の部分については信号線Ｓ（ｊ）が切断された状態となる。このため、ＴＦＴ２がオン状態のときに比べて信号線Ｓ（ｊ）の負荷容量や配線抵抗を低減させることが可能であり、これによって表示信号の変動があっても消費電力の増大を抑制することが可能である。
【００３３】
ここで、ＴＦＴ２がオフ状態のときには、ＴＦＴ２よりも前の行の表示画素Ｐｉｘには信号ドライバ３００から表示信号を印加することができなくなる。したがって、ＴＦＴ２をオフ状態とするタイミングは、ＴＦＴ２よりも前の行の全ての表示画素Ｐｉｘに対する表示信号の印加が終了した後とする。図２の例では、信号線Ｓ（ｊ）における３行目の表示画素Ｐｉｘとの接点と４行目の表示画素Ｐｉｘとの接点間にＴＦＴ２が挿入されている。この場合、スイッチ制御回路２００ａは、図３に示すように、垂直同期信号Ｖｓの入力後、水平同期信号Ｈｓを４個カウントするまでの間は制御信号Ｇｓをハイレベルとし、水平同期信号Ｈｓを４個カウントした時点で制御信号Ｇｓをローレベルとする。垂直同期信号Ｖｓが再び入力された場合にはカウントをリセットして制御信号Ｇｓをハイレベルに戻す。このような制御を行うことにより、４水平期間以後の負荷容量を減らして消費電力を低減させることが可能である。
【００３４】
以上説明したように、本実施形態によれば、走査線Ｇ（ｉ）と独立して設けられたＴＦＴ２によって信号線Ｓ（ｊ）の一部を非導通状態とすることで、信号ドライバ３００から見た負荷容量及び配線抵抗を低減させることが可能である。これにより、表示信号の変動に伴う配線の充放電の影響を低減して消費電力を削減することが可能である。
【００３５】
ここで、上述した例において、ＴＦＴ２をオフ状態とするタイミングを、ＴＦＴ２よりも前の行の全ての表示画素Ｐｉｘに対する表示信号の印加が終了した後としているのは、信号ドライバ３００に対して遠い行の表示画素Ｐｉｘから走査を行っているためである。逆に、信号ドライバ３００に対して近い行の表示画素Ｐｉｘから走査を行う構成の場合には、ＴＦＴ２よりも信号ドライバ３００に近い行の全ての表示画素Ｐｉｘに対する表示信号の印加が終了するまでＴＦＴ２をオフ状態とし、ＴＦＴ２よりも信号ドライバ３００に近い行の全ての表示画素Ｐｉｘに対する表示信号の印加が終了した後、ＴＦＴ２をオン状態とする。この場合には、図２の例とは逆に、１垂直期間内の初期の水平期間における消費電力が削減される。
【００３６】
図２においては、スイッチ制御回路２００ａは、走査ドライバ２００内に設けるようにしているが、必ずしも走査ドライバ２００内に設ける必要はなく、別体としても良い。ただし、スイッチ制御回路２００ａの動作は走査ドライバ２００の動作と同期させる必要がある。
【００３７】
また、図２の例では、信号線Ｓ（ｊ）を２等分する接点間にＴＦＴ２を挿入している。しかしながら、ＴＦＴ２の挿入位置は必ずしも信号線Ｓ（ｊ）を２等分する接点間でなくとも良い。例えば、図２の例において、信号線Ｓ（ｊ）における２行目の表示画素Ｐｉｘとの接点と３行目の表示画素Ｐｉｘとの接点間にＴＦＴ２を挿入するようにしても良い。ただし、画質の面からは、信号線Ｓ（ｊ）を２等分する接点間にＴＦＴ２を挿入したほうが良いと考えられる。さらに、画質の面からは、ＴＦＴ２の挿入位置を行方向で揃える（即ち走査線Ｇ（ｉ）の延在方向と平行にＴＦＴ２を挿入する）ことがより好ましい。
【００３８】
また、図２の例では、各信号線Ｓ（ｊ）中にＴＦＴ２を挿入しているが、必ずしも全ての信号線Ｓ（ｊ）にＴＦＴ２を挿入しなくとも良い。例えば奇数列の信号線Ｓ（ｊ）のみにＴＦＴ２を挿入するようにしても良い。
【００３９】
また、図２の例では、各信号線Ｓ（ｊ）に１個ずつＴＦＴ２を挿入している。これに対し、図５に示すように、各信号線Ｓ（ｊ）に２個ずつＴＦＴ２を挿入するようにしても良い。図５の例は、信号線Ｓ（ｊ）における２行目の表示画素Ｐｉｘとの接点と３行目の表示画素Ｐｉｘとの接点間、及び３行目の表示画素Ｐｉｘとの接点と４行目の表示画素Ｐｉｘとの接点間に、それぞれＴＦＴ２を挿入した例である。このように１本の信号線Ｓ（ｊ）に２個ずつＴＦＴ２を挿入した場合であっても、各ＴＦＴ２よりも前の行の全ての表示画素Ｐｉｘに対する表示信号の印加が終了した後に、ＴＦＴ２をオフ状態とする。
【００４０】
図５の例において、スイッチ制御回路２００ａは、図６に示すように、垂直同期信号Ｖｓの入力後、水平同期信号Ｈｓを３個カウントするまでは制御信号Ｇｓ１、Ｇｓ２を共にハイレベルとする。そして、水平同期信号Ｈｓを３個カウントした時点で、スイッチ制御回路２００ａは、制御信号Ｇｓ１のみローレベルとする。これにより、１、２行目の部分が非導通状態となる。その後、さらに水平同期信号Ｈｓを１個カウントした時点で、スイッチ制御回路２００ａは、制御信号Ｇｓ２をローレベルとする。これにより、さらに３行目の部分が非導通状態となる。
【００４１】
このように、各信号線Ｓ（ｊ）に２個ずつＴＦＴ２を挿入することにより、信号線Ｓ（ｊ）を段階的に非導通状態とすることが可能となる。なお、図５の例では、各信号線Ｓ（ｊ）に２個ずつＴＦＴ２を挿入しているが、３個以上のＴＦＴ２を挿入しても良い。
【００４２】
また、上述の例は、本実施形態の技術を液晶表示装置に適用した場合について説明している。これに対し、本実施形態の技術は、液晶表示装置以外の各種のアクティブマトリクス方式の表示装置に対して適用可能である。例えば、液晶表示装置と同一の構成で、電気泳動表示装置にも適用可能である。また、図７に有機ＥＬ表示装置への適用例を示す。
【００４３】
図７に示す有機ＥＬ表示装置１４は、例えば、行方向に配設された複数の選択線Ｌｓと列方向に配設された複数のデータ線Ｌｄとの交点に対応した位置に、有機ＥＬ表示素子を有してなる表示画素Ｐｉｘが配列されている。
【００４４】
各選択線Ｌｓは、所定のタイミングで選択信号を印加する選択ドライバ（ゲート駆動回路）５００に接続されている。また、選択線Ｌｓに並行するようにして行方向に電源線Ｌｖが配設されている。そして、各電源線Ｌｖは、所定のタイミングで所定の電圧レベルの電源電圧（発光駆動電圧）を印加する電源ドライバ（電源駆動回路）６００に接続されている。さらに、各データ線Ｌｄは、所定のタイミングで表示信号を供給するデータドライバ（データ駆動回路）７００に接続されている。このような構成において、選択ドライバ５００が液晶表示装置における走査ドライバ２００に対応しており、データドライバ７００が液晶表示装置における信号ドライバ３００に対応している。
【００４５】
図７に示したような有機ＥＬ表示装置に本実施形態の技術を適用する際には、データ線ＬｄにＴＦＴ２を挿入する。この挿入位置もデータ線Ｌｄの各表示画素Ｐｉｘとの接点間である。さらに、選択ドライバ５００内にスイッチ制御回路５００ａを設け、このスイッチ制御回路５００ａによってＴＦＴ２の制御を行う。ＴＦＴ２のオン・オフ制御のタイミングは、液晶表示装置の場合と同様である。図７の例では、データドライバ７００に近い側の行から表示画素Ｐｉｘの走査を行う構成であるため、ＴＦＴ２よりもデータドライバ７００に近い行である２行目までの表示画素Ｐｉｘへの表示信号の印加が終了するまで（２水平期間が終了するまで）ＴＦＴ２をオフ状態とし、３行目以降の表示画素Ｐｉｘへの表示信号の印加と同期して（３水平期間が開始した時点で）ＴＦＴ２をオン状態とする。このようにして、最初の２水平期間の間の消費電力を低減させることが可能である。
【００４６】
なお、図７に示した有機ＥＬ表示装置の具体的な動作については例えば特開２００８−４６１５７号公報等に開示されているため、説明を省略する。
【００４７】
以上実施形態に基づいて本発明を説明したが、本発明は上述した実施形態に限定されるものではなく、本発明の要旨の範囲内で種々の変形や応用が可能なことは勿論である。
【００４８】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００４９】
１，２…薄膜トランジスタ（ＴＦＴ）、１４…液晶表示装置、１００…表示パネル、１００ａ…表示画素側基板、１００ｂ…対向側基板、２００…走査ドライバ、２００ａ…スイッチ制御回路、３００…信号ドライバ、４００…ＶＣＯＭ供給回路
【図１】
2011203687.tif 000003
【図２】
2011203687.tif 000004
【図３】
2011203687.tif 000005
【図４】
2011203687.tif 000006
【図５】
2011203687.tif 000007
【図６】
2011203687.tif 000008
【図７】
2011203687.tif 000009